(57)【要約】【課題】  水槽の側面壁を形成している透明な板壁が、割れても、溜め水が漏れ出ることがなく、しかも、外部に飛び散ることがない観賞魚用水槽を提供する。【解決手段】  水槽枠の４つの側面壁が、透明な板壁１６により形成される直方体状の観賞魚用水槽であって、前記透明な板壁１６は、２枚の透明材１７間に透明な中間膜１８が挟み込まれて一体化されているサンドイッチ構造を有するようにした。【選択図】  図１
0003117149.tif 000002
【実用新案登録請求の範囲】
【請求項１】
水槽枠の４つの側面壁が、透明な板壁により形成される直方体状の観賞魚用水槽であって、前記透明な板壁は、２枚の透明材間に透明な中間膜が挟み込まれて一体化されているサンドイッチ構造を有することを特徴とする観賞魚用水槽。
【請求項２】
前記サンドイッチ構造は、透明材の全面にわたり、サンドイッチ構造の周縁は、前記水槽枠の、上部枠、底枠およびそれら両枠のコーナー部間を連結する４本の支柱の内側に装着されている請求項１に記載の観賞魚用水槽。
【請求項３】
２枚の透明材の間に中間膜が挟み込まれて一体化されているサンドイッチ構造の透明部材により上部に開口を有する箱形に形成されていることを特徴とする観賞魚用水槽。
【考案の詳細な説明】
【技術分野】
【０００１】
本考案は、金魚、熱帯魚、などの観賞魚用水槽の改良に関するものである。
【背景技術】
【０００２】
一般に、金魚、熱帯魚、などの観賞魚用水槽の側面壁には、透明度が高いこと、傷が付きにくいこと、廉価に提供できることなどの理由で、フロートガラスをシリコーン樹脂接着剤にて接着したものか、アクリル板等の透明材を溶剤等で接着した透明な板壁が採用されている。
【考案の開示】
【考案が解決しようとする課題】
【０００３】
ところで、前記水槽の側面壁は、なんらかの原因で側面壁を形成している透明な板壁が割れた場合、水が漏れ出して、周囲を汚損し、また、観賞魚を死に至らしめ、さらに、透明材の破片が外部に飛び散ったりするなど、多大なる被害を発生する状況となる等の問題がある。
【０００４】
この考案は、上記課題を解決するものであり、水槽の側面壁を形成している透明な板壁が、割れても、溜め水が漏れ出ることがなく、しかも、外部に飛び散ることがない観賞魚用水槽を提供することを目的とする。
【課題を解決するための手段】
【０００５】
上記課題を解決するために請求項１に記載の考案は、水槽枠の４つの側面壁が、透明な板壁により形成される直方体状の観賞魚用水槽であって、前記透明な板壁は、２枚の透明材間に透明な中間膜が挟み込まれて一体化されているサンドイッチ構造を有することを特徴とする観賞魚用水槽である。
【０００６】
また、請求項２に記載の考案は、前記サンドイッチ構造は、透明材の全面にわたり、サンドイッチ構造の周縁は、前記水槽枠の、上部枠、底枠およびそれら両枠のコーナー部間を連結する４本の支柱の内側に装着されている請求項１に記載の観賞魚用水槽である。
【０００７】
また、請求項３に記載の考案は、２枚の透明材の間に中間膜が挟み込まれて一体化されているサンドイッチ構造の透明部材により上部に開口を有する箱形に形成されていることを特徴とする観賞魚用水槽である。
【考案の効果】
【０００８】
本考案の観賞魚用水槽によれば、２枚の透明材の間に中間膜が挟み込まれて一体化されているサンドイッチ構造の透明部材により、水槽の側面壁の割れに対する強度が増して水の漏水を食い止めることができ、仮に板材が割れても、その破片が外部に飛び散ったりする危険は回避される。
【考案を実施するための最良の形態】
【０００９】
以下、本考案の実施例を、図面を参照して説明する。
【実施例１】
【００１０】
図１は、本考案に係る観賞魚用水槽の実施例１を示す斜視図、図２は、１枚のガラス単体で構成した第１例の底ガラスを使用した場合の図１のＡ−Ａ線に沿う拡大断面図、図３は、合わせガラスで構成した第２例の底ガラスを使用した場合の図１のＡ−Ａ線に沿う拡大断面図である。
【００１１】
図１〜３において、観賞魚用水槽１１は、四角環状の上枠１２と、底板部分１３ａを有する長方形状の底枠１３およびそれら両枠１２，１３のコーナー部間を連結する４本の支柱１４とにより、観賞魚用水槽１１の骨組となる水槽枠１５が形成され、その水槽枠１５の前後、および左右の各開口側面壁は透明な板壁１６で構成されている。
【００１２】
水槽枠１５は、硬質の合成樹脂材により直方体状の枠体に形成されている。また、水槽枠１５の４つの透明な板壁１６は、２枚の透明材１７，１７間に透明な中間膜１８を介在して一体化されたサンドイッチ構造となっている。本実施例では、透明材１７としてガラス材が使用され、２枚の透明なガラス材１７，１７間に透明な中間膜１８が挟み込まれて一体化されているサンドイッチ構造を有する合わせガラス１９が作製され、この合わせガラス１９が透明な板壁１６として使用されている。
【００１３】
中間膜は、熱可塑性樹脂が製膜されてなるものであり、中間膜に用いられる熱可塑性樹脂としては、特に限定されるものではないが、例えば、可塑化ポリビニルアセタール系樹脂、可塑化ポリ塩化ビニル系樹脂、（可塑化）飽和ポリエステル系樹脂、（可塑化）ポリウレタン系樹脂、エチレン−酢酸ビニル共重合体系樹脂、エチレン−エチルアクリレート共重合体系樹脂等の従来から中間膜用として用いられている熱可塑性樹脂が挙げられ、なかでも、優れた透明性、耐候性、強度、接着力、耐貫通性、衝撃エネルギー吸収性、耐湿性、遮熱性および遮音性等の諸性能のバランスに優れる中間膜を得られることから、可塑化ポリビニルアセタール系樹脂が好適に用いられる。これらの熱可塑性樹脂は、単独で用いられても良いし、２種類以上が併用されても良い。
【００１４】
上記ポリビニルアセタール系樹脂としては、特に限定されるものではないが、例えば、ポリビニルアルコール（以下、「ＰＶＡ」と記す）とホルムアルデヒドとを反応させて得られるポリビニルホルマール樹脂、ＰＶＡとアセトアルデヒドとを反応させて得られる狭義のポリビニルアセタール樹脂、ＰＶＡとｎ−ブチルアルデヒドとを反応させて得られるポリビニルブチラール樹脂（以下、「ＰＶＢ」と記す）等が挙げられ、なかでも、優れた透明性、耐候性、強度、接着力、耐貫通性、衝撃エネルギー吸収性、耐湿性、遮熱性および遮音性等の諸性能のバランスにより優れる中間膜を得られることから、ＰＶＢが好適に用いられる。これらのポリビニルアセタール系樹脂は、単独で用いられても良いし、２種類以上が併用されても良い。
【００１５】
合わせガラス１９の作製方法は、特別なものではなく、通常の合わせガラスの場合と同様の作製方法で良い。すなわち、例えば、２枚の透明なガラス材１７，１７の間に中間膜１８を挟み、この合わせガラス構成体を例えばゴムバッグのような真空バッグの中に入れ、この真空バッグを排気系に接続して、真空バッグ内の圧力が約−６５〜−１００ｋＰａの減圧度（絶対圧力約３６〜１ｋＰａ）となるように減圧吸引（脱気）しながら温度約７０〜１１０℃で予備接着（予備圧着）を行った後、この予備接着された合わせガラス構成体をオートクレーブの中に入れ、温度約１２０〜１５０℃、圧力約０．９８〜１．４７ＭＰａの条件で加熱加圧して本接着（本圧着）を行うことにより、所望の合わせガラス１９を得ることができる。
【００１６】
こうして、前記のサンドイッチ構造は合わせガラス１９の全面にわたって構成されている。各合わせガラス１９のサンドイッチ構造の周縁は、水槽枠１５の、上部枠１１、底枠１３およびそれら両枠１１，１３のコーナー部間を連結する４本の支柱１４の内側に装着されている。
【００１７】
また、底枠１３の底板部分１３ａには、例えば１枚のガラス単体で構成した第１例の底ガラス２０ａが装着されている。そして、各合わせガラス１９および底ガラス２０ａの各端縁内側が、夫々シリコーン樹脂接着剤２１を介して接着固定され、各合わせガラス１９は水槽枠１５の前後、および左右の各開口側面において透明な板壁１６を構成し、底ガラス２０ａが水槽枠１５の底面を構成する。
【００１８】
底枠１３の底板部分１３ａには、図２に示した１枚のガラス単体で構成した第１例の底ガラス２０ａを装着する代わりに、図３に示した合わせガラスで構成した第２例の底ガラス２０ｂを装着してもよい。
【００１９】
次に、作用について説明すると、いま、観賞魚用水槽１１の合わせガラス１９に衝撃が加わっても、水観賞魚用水槽１１の破壊強度は高いので、簡単には破損しない。仮に、合わせガラス１９に割れが発生したときでも、透明な中間膜１８は、合わせガラス１９を現存の状態に保持し、その割れ部分を水密に覆うことができるので、水槽内の溜め水が外部に漏れ出る心配がない。また、合わせガラス１９の透明な中間膜１８が介在して一体化されているので、合わせガラス１９の破片は、観賞魚用水槽１１内外に飛散することがなく、安全である。
【００２０】
なお、実施例１では、透明材１７としてガラスを使用し、２枚の透明なガラス材１７，１７間に中間膜１８を挟み込んで一体化して合わせガラス１９を作製して透明な板壁を形成したが、透明材１７としてアクリル板のような透明な樹脂材を使用し、２枚の透明な樹脂材の間に中間膜１８を挟み込んで一体化して透明な板壁を形成してもよい。また、水槽枠は、硬質の合成樹脂に代えて、ステンレス鋼などの金属材により形成してもよい。
【実施例２】
【００２１】
図４（ａ）は、本考案に係る観賞魚用水槽の実施例２を示す斜視図、図４（ｂ）は、図４（ａ）のＢ−Ｂ線に沿う拡大断面図である。
【００２２】
図４（ａ），図４（ｂ）において、観賞魚用水槽３１は、実施例１のように上枠１２、底枠１３、４本の支柱１４などの枠材を使用しないで、透明部材だけで観賞魚用水槽３１を構成したものであり、上部に開口３２を有する直方体状の箱形の透明部材により構成されている。
【００２３】
本実施例において、透明部材は上部に開口３２を有し、大きさが僅かに異なる大小の直方体状の箱形の２枚の透明なガラス材２６，２７間に透明な中間膜２８が挟み込まれて一体化されているサンドイッチ構造の合わせガラス２９であり、この合わせガラス２９により、枠材を使用しないで、上部に開口３２を有する直方体状の透明な箱形の観賞魚用水槽３１を作製した。
【００２４】
実施例２の観賞魚用水槽３１の作用は、実施例１の観賞魚用水槽１１と同様であり、合わせガラス２９に衝撃が加わっても、水観賞魚用水槽３１の破壊強度は高いので、簡単には破損しないし、合わせガラス２９に割れが発生したときでも、透明な中間膜２８は、合わせガラス２９を現存の状態に保持し、水槽内の溜め水が外部に漏れ出る心配はない。しかも合わせガラス２９の破片は、観賞魚用水槽３１内外に飛散することがなく、安全である。
【００２５】
実施例２では、水観賞魚用水槽３１を構成する透明部材として合わせガラスを使用した例について説明したが、水観賞魚用水槽３１をアクリル板のような透明な樹脂材を使用し、２枚の透明な樹脂材の間に中間膜２８を挟み込んで一体化して透明部材を形成し、この透明部材により、上部に開口を有する直方体状の透明な箱形の水観賞魚用水槽を構成してもよい。
【００２６】
本考案は前記実施例に限定されるものではなく、実用新案登録請求の範囲に記載された本考案を逸脱することがなければ、種々の設計変更が可能であり、前記実施例に限定されないことはいうまでもない。
【図面の簡単な説明】
【００２７】
【図１】本考案に係る観賞魚用水槽の実施例１を示す斜視図である。
【図２】１枚のガラス単体で構成した第１例の底ガラスを使用した場合の図１のＡ−Ａ線に沿う拡大断面図である。
【図３】合わせガラスで構成した第２例の底ガラスを使用した場合の図１のＡ−Ａ線に沿う拡大断面図である。
【図４】（ａ）は、本考案に係る観賞魚用水槽の実施例２を示す斜視図、（ｂ）は、図４（ａ）のＢ−Ｂ線に沿う拡大断面図である。
【符号の説明】
【００２８】
１１，３１  観賞魚用水槽
１２  上枠
１３  底枠
１３ａ  底板部分
１４  支柱
１５  水槽枠
１６  板壁
１７  透明材
１８，２８  中間膜
１９，２９  合わせガラス
２０ａ，２０ｂ  底ガラス
２１  シリコーン樹脂接着剤
２６，２７  箱形のガラス材
【図１】
0003117149.tif 000003
【図２】
0003117149.tif 000004
【図３】
0003117149.tif 000005
【図４】
0003117149.tif 000006